(57)【特許請求の範囲】
【請求項１】
各ビデオフレームは光出力のためにディスプレイを構成する複数の画素を活性化することにより表示され、且つ、フレームのシーケンスは、主フレーム繰返し周波数で表示される、ビデオフレームを表示する方法であって：
少なくとも２つの連続するビデオフレーム内の対応する画素についてのビデオ値の所定の最大値より小さい共通部分を抽出するステップ；
少なくとも２つの連続するビデオフレームの少なくとも１つのビデオフレームにおける前記ビデオ値の前記共通部分を表示し、主フレーム繰返し周波数より低いフレーム繰返し周波数で前記ビデオ値の前記共通部分についての光を生成するステップ；及び
主フレーム繰返し周波数で前記ビデオ値の個別の部分を表示するステップ；
を有するビデオフレームを表示する方法であり、
前記ビデオ値は、階調を伴う輝度値をレンダリングするための値であり、前記ビデオ値の前記共通部分は、前記２つ又はそれ以上の対応するビデオ値に含まれる輝度の一部であり、前記ビデオ値の前記共通部分を表示するステップ及び前記ビデオ値の前記個別の部分を表示するステップはサブフィールド駆動スキームに基づいている；
ことを特徴とするビデオフレームを表示する方法。
【請求項２】
前記ビデオ値の前記共通部分についての最大値を表す閾値が与えられ、複数の入力ビデオ値の１つの入力ビデオ値が前記閾値より小さい場合には、前記抽出された共通部分は前記閾値より小さい入力ビデオ値に等しい、請求項１に記載の方法。
【請求項３】
画素についてのビデオ値は、前記ディスプレイの対応する要素が１フレーム内で活性化される間の時間期間の長さを決定するコードワードでディジタル的に符号化され、コードワードの各ビットへ、以後サブフィールド重みと呼ばれる、ある特定の活性化期間が割り当てられ、少なくとも２つの連続するフレーム内の、前記ディスプレイの要素の活性化のために、サブフィールド構成が使用され、該サブフィールド構成中に、前記主フレーム繰返し周波数に対応する少なくとも２つのフレーム期間の長さに等しい時間期間内に、対応する画素のビデオ値の各々の個別の部分についての、サブフィールドの少なくとも１つのグループと、前記対応する画素の前記ビデオ値の前記共通部分についての、サブフィールドの少なくとも１つのグループと、が配置される、請求項１或は２に記載の方法。
【請求項４】
前記共通部分についてのサブフィールドのグループは、前記主フレーム繰返し周波数に対応する少なくとも２つのフレーム期間の長さに等しい時間期間の中央に配置され、且つ、個別の部分についてのサブフィールドの２つのグループは、前記共通部分についてのサブフィールドのグループの前と後に配置される、請求項３に記載の方法。
【請求項５】
前記ビデオ値の前記個別の部分は、サブフィールド符号化の前に、前記ビデオ値の前記個別の部分についてのサブフィールドのグループ内のサブフィールド重みの和に対応する値に対して再スケーリングされる、請求項１乃至４のうちいずれか一項に記載の方法。
【請求項６】
前記主フレーム繰返し周波数は６０と１２０Ｈｚの区間内にある、請求項１乃至５のうちいずれか一項に記載の方法。
【請求項７】
前記少なくとも２つのフレームは、より高いフレームレートへのアップコンバージョン後の、同一のフレームである、請求項１乃至６のうちいずれか一項に記載の方法。
【請求項８】
前記２つ又はそれ以上の対応する画素のビデオ値の１つが、前記共通部分についての前記閾値以下である場合には、その小さい値は前記共通部分になる、請求項２乃至７のうちいずれか一項に記載の方法。
【請求項９】
２つ又はそれ以上の連続するビデオフレーム内の対応する画素についてのビデオ値を、共通部分と個別の部分に分割するマルチスキャン符号化手段と、減少されたフレーム繰返し周波数でビデオ値の共通部分を表示し且つ、主フレーム繰返し周波数で前記ビデオ値の前記個別の部分を表示する表示駆動手段とを有し、前記マルチスキャン符号化手段におけるマルチスキャン符号化は、異なるフレーム繰返しレートで所定のビデオ値の異なる構成要素を表示するための符号化である、請求項１乃至８のうちいずれか一項に記載の方法を実行する装置。
【請求項１０】
前記共通部分及び前記個別の部分についてのサブフィールド符号化手段と、個別に制御可能なサブフィールド内のフレーム期間中に前記ディスプレイを駆動する表示駆動手段と、を更に有し、サブフィールドの第１グループは、前記対応する画素の１つの画素の個別の部分のレンダリングに専用であり、サブフィールドの第２グループは、前記対応する画素の他の画素の個別の部分のレンダリングに専用であり、且つ、サブフィールドの第３グループは、前記１つの画素及び前記他の画素の両方の共通部分のレンダリングに専用であり、前記サブフィールドの第３グループは、前記サブフィールドの第３グループが前記サブフィールドの第１グループと前記サブフィールドの第２グループとの間に配置されるように、２つの連続するフレーム期間の１つのみにおいて配置される、請求項９に記載の方法を実行する装置。
【発明の詳細な説明】
【０００１】
【発明の属する技術分野】
本発明は、ビデオ画像を表示する方法に関連し、ビデオ画像は画素より構成され、画素は、ディスプレイの対応する画素が１フレーム内で活性化される間の時間期間の長さを決定するコードワードでディジタル的に符号化され、コードワードの各ビットへ、以後サブフィールド重みと呼ばれる、ある特定の活性化期間が割り当てらる。特に、本発明は、低ビデオレベル（暗い画素）は、高ビデオレベル（明るい画素）よりも、より低いフレーム繰返しレートで表示される、マルチスキャンディスプレイモードに関連する。
【０００２】
【従来の技術】
プラズマディスプレイパネル（ＰＤＰ）は、゛オン”又は”オフ”のみである、放電セルのマトリクスの配列を使用する。グレイレベルが、光放射のアナログ制御により表現されるＣＲＴ又はＬＣＤと異なり、ＰＤＰはフレーム当りの光パルスの数を変調することにより、グレイレベルを制御する。この時間変調は、目の時間応答に対応する期間をわたり目により積分される。
【０００３】
静止画に対しては、表示されるビデオ標準のフレーム周波数に等しい基本周波数で、この時間変調は自身で繰返す。ＣＲＴから知られるように、５０Ｈｚの基本周波数を有する光放射は、大きな領域のフリッカを起こし、これは、ＣＲＴ  ＴＶ受信機に対しては、１００Ｈｚアップコンバージョン技術により除去されることが可能である。
【０００４】
一方では、この大きなフリッカ欠陥は、光放射のデューティーサイクルが長いので、ＰＤＰでは減少される。他方では、ＰＤＰは大きなサイズを提供するので、減少された大きな領域のフリッカでも、画像品質に関して、好ましくない。
【０００５】
欧州１００ＨｚアップコンバージョンＴＶ技術で使用されている解決方法は、同じ時間期間（２０ｍｓ）内で、（各フレーム／フィールドを繰り返すことにより又は、特別な−フレーム／フィールドを補間することにより）フレーム／フィールドを２回表示することであり、これは、１００Ｈｚビデオを表示することに対応する。明確化するために、ＴＶ技術での用語”フレーム”は完全なビデオ画像を意味する。標準ＴＶシステムＮＴＳＣ，ＰＡＬ、ＳＥＣＡＭは、インターレース走査を使用し、フレームは、２つの”フィールド”からなり、第１フィールドでは全ての奇数ビデオラインが表示されそして、第２フィールドでは全ての偶数ビデオラインが表示される。ＰＡＬ及びＳＥＣＡＭのような５０ＨｚＴＶシステムでは、完全なビデオ画像は、２５Ｈｚフレーム繰返しレートに対応する、４０ｍｓ時間ラスタで伝送される。フィールドは、５０Ｈｚフィールド繰返しレートに対応する、２０ｍｓ時間ラスタで伝送される。１００Ｈｚアップコンバージョン技術は、大部分が、大きな領域のフリッカリングの問題と取り組むが、しかし、通常は、擬似フレーム／フィールド繰返しによってのみである。この解決方法は、しかし、秒当り２倍のフレームを表示するためには、（同じ品質のために）２倍のサブフィールドが要求されるので、ＰＤＰには実際には考えられない。
【０００６】
プラズマディスプレイは、強いラインフリッカリングを避けるために、順次走査モードで動作される。出願人の他の欧州特許出願の特許文献１から、どのようにＰＤＰに擬似１００Ｈｚ成分を生成するかが知られているが、しかし、これは、７５Ｈｚと等しいか又はそれより高いレートを有するビデオフレームを生成するビデオ源からのビデオフレームを表示するためには使用できない。
【０００７】
ＰＣアプリケーションからの高周波数ビデオ信号を扱うときに、同じ制限が発生する。この場合には、ＰＤＰは通常は幾つかのフレームを落として、且つ、６０Ｈｚでビデオを表示し、元の高周波数ビデオの利点を失い、そして、幾つかのフレームが定常的に落とされるので動きの欠陥を起こす。
【０００８】
【特許文献１】
欧州特許出願ＥＰ−Ａ−０９８２７０８号
【発明が解決しようとする課題】
本発明の目的は、入力ソースの動きの品質を保存しながら、（今日では７５Ｈｚ又はそれより高いフレームレートを使用する、主にＰＣアプリケーションについての）高周波数ビデオシーケンスを、マトリクスディスプレイ上に表示することを可能とする、技術を提供することである。
【０００９】
【課題を解決するための手段】
本発明に従って、この目的は、請求項１の方法と請求項９の装置の解決方法で解決される。本発明の方法は、２つ又はそれ以上の連続するビデオフレーム内の対応する画素についてのビデオ値の共通部分を抽出するステップと、減少されたフレーム繰返し周波数でビデオ値の共通部分を表示するステップと、ビデオソースの実フレーム繰返し周波数でビデオ値の個々の部分を表示するステップとを有することを特徴とする。
【００１０】
言いかえると、本発明は、高垂直周波数（ｆＶＨｚ）ビデオを表示することを可能とする、サブフィールド符号化の新たな原理を有する、異なるサブフィールド構成よりなる。
【００１１】
本発明の基本的なアイデアは、低レベル、即ち、画素の短い活性化期間（暗い画素）は、フリッカ又は（ジッタのような）動き欠陥を発生せず、それにより、低い周波数（ｆＶ／２Ｈｚ）で表示でき、一方、残りのビデオは、正しい周波数（ｆＶＨｚ）で表示されるということである。
【００１２】
これを行うために、フレーム期間は、３つのサブグループに、タイル化される。
【００１３】
−  同様なサイズを有するサブフィールドの２つのグループは、ｆＶＨｚ成分に対応する１／ｆＶ  ｍｓ時間フレーム（ｆＶ／２Ｈｚフレームレートの２つのサブ期間）内に含まれる。
【００１４】
−  特別なフレーム又は特別なコードと呼ばれる、サブフィールドの１つのグループは、２つの前のサブグループの間に含まれ、低レベルについてのｆＶ／２Ｈｚ成分に対応する。
【００１５】
更なる優位な具体例は、請求の範囲から明らかとなろう。
【００１６】
【発明の実施の形態】
本発明を、添付の図面と共に更に詳細に説明する。
【００１７】
以下の実施例は、本発明を適用するベストモードを示す。
【００１８】
既に述べたように、大きな領域のフリッカは、ＴＶ放送に５０Ｈｚのフレーム繰返しレートを使用する欧州のような国では、現実の問題である。しかしながら、米国や日本国で使用されているＮＴＳＣのような６０ＨｚのＴＶシステムの場合にでも、そのようなフリッカは、輝度値の上昇と共に（映像のフィールドの周辺に現れるので）表示サイズの上昇で、将来の問題となる。
【００１９】
図１は、異なる輝度値に対する、人間の目の感度対ビデオ源の時間周波数を示す。見て分かるように、人間の目のコントラスト感度は、輝度の減少とと共に、急速に減少する。
【００２０】
これらの理由のために、高周波数ビデオを表示する本概念は、５０ＨｚＴＶ技術の国で有利なだけでなく、他の国でも有利である（例えば、現代のＰＣのビデオ出力は、６０Ｈｚビデオシーケンスの代わりに、７５Ｈｚ又はそれ以上である）。
【００２１】
本発明の原理は、制限された数のサブフィールドを使用してしかし、高フレームレートビデオの品質と全ての優位点（少ないフリッカ、自然な動き、等）を有する、（これが例えば、６０Ｈｚより小さいときに）フレーム繰返しレートを２倍にするか又は（６０Ｈｚより高い）高フレームレートでビデオを表示することのいずれかの可能性を提供する。
【００２２】
本発明に対して、入力ビデオ信号は、高フレームレートビデオ信号（例えば、ＰＣグラフィックカードからの８５Ｈｚ又はＨＤＴＶソースＴＶからの１００Ｈｚ）、これは（単位時間あたりに多くのサブフィールドを必要としすぎるので）通常はＰＤＰにより表示されない、又は、低フレームレートビデオ（例えば、５０Ｈｚ）、これは、大きな領域のフリッカを発生する、のいずれかである。最後の場合（５０Ｈｚ）には、周波数は、各フレームを繰り返すことにより２倍にされ、そして、高周波数ビデオ表示が得られる。
【００２３】
本発明の目的は、光発生が小さなパルスでなされ、且つ、ＰＤＰ、ＤＭＤ、ＯＬＥＤ等のように、小さなパルスは異なる重みのサブフィールドへグループ化される、ディスプレイ上に、この高周波数ビデオ信号を表示することでもある。
【００２４】
いわゆるマトリクスプラズマ技術のプラズマセルの原理的な構造は、図２に示されている。参照番号１０は、ガラス製のフェースプレートを示し、参照番号１１で、透明ライン電極が示されている。パネルのバックプレートは参照番号１２である。２つの誘電体層１３は、フェース及びバックプレートを互いに分離する。バックプレートでは、コラム電極１４は、ライン電極１１に垂直に集積される。セルの内部は、発光物質１５（蛍光体）及び、異なる色の蛍光体物質（緑１５ａ）（青１５ｂ）（赤１５ｃ）を分離する障壁１６よりなる。放電により発生されたＵＶ放射は、参照番号１７で示されている。緑色蛍光体１５ａから放出される光は、参照番号１８を有する矢印で示されている。ＰＤＰセルのこの構造から、表示される画像の画像要素（画素）の色を発生するために、３つの色成分ＲＧＢに対応する３つのプラズマセルが必要であることは、は明らかである。
【００２５】
画素の各Ｒ、Ｇ、Ｂ成分のグレイレベルは、フレーム期間当りの光パルスの数を変調することにより、ＰＤＰ内で制御される。目は、人間の目の応答に対応する期間をわたり、この時間変調を積分する。最も効率のよいアドレス機構は、生成されるビデオレベルの数がｎに等しい場合には、ｎ回アドレスすることである。
普通に使用される８ビット表現のビデオレベルの場合には、プラズマセルは、これに従って、２５６回アドレスされねばならない。しかし、これは技術的に可能ではない。各アドレス動作は、多くの時間（全２５６アドレッシング動作に対して、ライ当り約２μｓ＞１アドレス期間について９６０μｓ＞全２４５アドレス動作について２４５ｍｓ）を必要とし、これは、５０Ｈｚビデオフレームについての２０ｍｓの利用できる時間期間よりも大きい。
【００２６】
論文より、更に実際的な、異なるアドレス機構が知られている。このアドレス機構に従って、最少の８サブフィールド（８ビットビデオレベルデータワードの場合には）が、フレーム期間のサブフィールド構成に使用される。これらの８サブフィールドの組合せで、２５６の異なるビデオレベルを発生することが可能である。このアドレッシング機構を図３に示す。この図では、各カラー成分に対する各ビデオレベルは、以下の重み：
１／２／４／８／１６／３２／６４／１２８
の８ビットの組合せにより表される。
【００２７】
ＰＤＰ技術でそのような符号化を実現するために、フレーム期間は、サブフィールドと呼ばれる８の発光期間に分割され、各々は、対応するサブフィールドコードワード内のビットに対応する。ビット”２”に対する光パルスの数は、ビット”１” に対する光パルスの数の２倍である、等である。これらの８サブ期間を用いて、サブフィールドの組合せを通して、２５６グレイレベルを構築することが可能である。このグレイレベル表現を発生する標準的な原理は、ＡＤＳ（アドレス表示分離）原理に基づいており、全動作は、全体の表示パネル上で、異なる時間に実行される。図３の下側には、このアドレッシング機構で、各サブフィールドが３つの部分即ち、アドレス期間、維持期間及び、消去期間のよりなることが示されている。
【００２８】
ＡＤＳアドレッシング機構では、全ての基本サイクルが、次々と続く。最初に、パネルの全セルが１期間内に書き込まれ（アドレスされ）その後に、全セルが発光され（維持され）、そして、最後に全セルが共に消去される。
【００２９】
図３に示されたサブフィールド構成は、単純な例であり、論文から知られた、例えば、更なるサブフィールド及び異なるサブフィールド重みを有する、非常に異なるサブフィールド構成がある。しばしば、更なるフィールドは動き欠陥を減少させるのに使用され、そして、応答の忠実度を増加するために、”プライミング”が、更なるサブフィールドについて、使用されうる。プライミングは、セルが充電され及び消去される、分離されたオプションの期間である。この充電は、小さな放電を導き、即ち、これは、原理的には望ましくない、背景光を発生する。プライミング期間の後に、すぐに電荷を消滅させるために、消去期間が続く。これは、セルが再びアドレスされることを必要とする、次のサブフィールドのために要求される。従って、プライミングは、次のアドレス期間を容易にする期間であり、即ち、それは、規則的に全てのセルを同時に励起することにより書きこみ段階の効率を改善する。アドレス期間長は、全サブフィールドについて同じであることが可能であり、消去期間長も全サブフィールドについて同じであることが可能である。しかしながら、アドレス期間長が、サブフィールド構成内の、サブフィールドの第１グループとサブフィールドの第２グループで異なることも可能である。アドレス期間では、セルは、ディスプレイのライン１からラインｎで、ライン毎にアドレスされる。消去期間では、全てのセルが、１回で並列に放電され、アドレッシングほど時間がかからない。図３の例は、プライミング動作を含む８サブフィールドを有する標準的なサブフィールド構成を示す。時間のある点で、全体のパネルについて、これらの動作の１つが、活性化される。
【００３０】
高周波数ビデオの問題は、フレーム期間が減少されるにつれて、光パルスを生成するのに利用できる時間が少なく、それにより達成可能な、コントラスト値を減少し、又は、光パルスの数が保存されるべき場合には、サブフィールドの数が減少される必要があり、それにより、グレースケール記述を減少する。
【００３１】
人間の目は高い輝度内のフリッカに更に敏感であるので、低レベルは、ジャダー又は他の動き欠陥を起こすことがないので、低周波数で表示できる（そして、それにより単位時間当りより少ないサブフィールドを必要とする）ということが、本発明のアイデアである。低周波数成分は、２つの連続するフレームから抽出される（周波数が２倍にされている場合にはこれらは同一である）。このために、少ないサブフィールドが要求され、且つ、画質は保存されることが可能である。
【００３２】
以下では例として、説明を簡単にするために、ＰＤＰ上に表示される実際の１００Ｈｚ（ｆＶ）ビデオ信号の場合が使用される。しかし、前述のように、同じ原理は、６０と１２０Ｈｚの間の周波数で使用されることが可能である。
【００３３】
この１００Ｈｚ（ｆＶ）ビデオ信号を表示するために：
−  第１に、５０Ｈｚ（ｆＶ／２）で表示される、最大低レベル、ｍ、が選択される。そして、２つの連続するフレームから、各画素について、（ｍより下の又は等しい）低レベルが見つけられねばならず；それは、２つのフレームの両ビデオレベルの平均か又は、単純に２つの低レベルのうちの１つの選択でもよく、例えば、両ビデオレベルの最大値の最小値である。この選択された低レベルは、特別なフレーム内の特別なコードを指定されたサブフィールドで符号化される。
【００３４】
−  そして、最大低レベル、ｍ、は２つのフレームの高ビデオレベルから減算される。新たな高ビデオレベルは、同じコード（サブフィールド重み段階）で独立に符号化されるが、しかし、コードワードは、フレーム期間内の異なるサブフィールドを制御する。
【００３５】
以下では、特別なフレームとサブフレームの計算が示される。
【００３６】
２つの連続するフレームについての特別のフレームの特別なコードが、残りのビデオよりも２倍低い周波数で表示されると考えると、それらの重みは、サブグループの１つよりも２倍大きくなければならず：５０Ｈｚ画像の特別なコードについての値Ｖ（＝１  Ｃｄ、輝度について）は、１００Ｈｚ（ｆＶ）成分についてのレベルＶ／２（＝１／２  Ｃｄ、輝度について）と等価である。
【００３７】
従って、例えば、Ｖ１とＶ２が２つの連続する１００Ｈｚフレームのビデオレベルの値であり、そして、ｍは５０Ｈｚ（ｆＶ／２）で表示される最大ビデオレベルである場合には、サブグループ内で符号化される、特別なコードＶｘの値と２つのビデオレベルの新たな値Ｖ１’とＶ２’は、われわれが使用することを決定する方法に依存する。
【００３８】
−  方法Ａ
Ｖｘは、２つのフレームの低レベルの平均である。この場合には、
【数１】
0004951195.tif 000002
−  方法Ｂ
Ｖｘは、第２フレームの低レベルである。この場合には、
【数２】
0004951195.tif 000003
−  方法Ｃ
代わりに、第１フレームの低レベルが使用されるう。この場合には、
【数３】
0004951195.tif 000004
−  方法Ｄ
更に、代わりに各場合に、２つの低レベルの内の小さいものが使用される。この場合には、２つの低レベルの比較が実行される必要がある。
【００３９】
低レベル、Ｖｘは、特別なフレームのサブフィールドで符号化され、Ｖ１’とＶ２’は、サブグループのサブフィールドで符号化される。
【００４０】
特別なフレームは、２つのサブフレームの間に挿入され、これは図４に示されている。
【００４１】
プラズマディスプレイは、線形な応答特性を有する。ＣＲＴディスプレイは、良く知られた、ガンマ関数応答特性を有する。これが、入力ビデオ信号が、ＣＲＴディスプレイに送られる前に、ガンマ補正される理由である。このガンマ補正は、信号がＰＤＰに入力される場合には、入力ビデオ信号から除去されることを必要とする。ガンマ変換は、この目的で使用される。ガンマ変換は、入力ビデオ信号を非線形に強化する。
【００４２】
通常のように、画質を改善するために、ディザリングが使用されることが可能である。ディザリングは、２つのレベルの間に人工のレベルを加えることにより、表示される数の減少による量子化雑音の効果を減少させるのに使用される、良く知られた技術である。ディザリング技術は、本出願人の他の出願に更に詳細に開示されており、ＷＯ０１／７１７０２を参照する。本発明の開示のために、このＷＯ文書を参照する。
【００４３】
本発明に従ったサブフィールド構成について、画質は、ディザリングの最適化により向上されることが可能である。追加されたディザリングパターンは、３つのグループについて異なり、４フレーム（４マスク：Ｍ１，Ｍ２，Ｍ３，Ｍ４）に関するセルに基づくディザリングが使用される場合には、パターンは次のように使用される。
【００４４】
【表１】
0004951195.tif 000005
これに従って、その周波数は本発明なしであるよりも高いので（特別のコードを除く）、ディザリングはほとんど知覚できないことに注意することは興味深い。
【００４５】
符号化に使用される図４に示されたサブフィールド構成では、２つの１００Ｈｚフレームを符号化するのに１５サブフィールドが使用されるが、しかし、画質は、グレイスケールの他の部分でと同様に、低レベルで良好である。
【００４６】
図５は、黒い背景上を白い円が移動する場合の、ＥＰ−Ａ−０９８２７０８に従った従来技術の解決方法と比較した本発明の利点を示す。
【００４７】
マルチスキャンの概念の図では、異なるスライスは、サブグループについてのサブフィールドを示し、そして、黒い背景層より上のスライスは、特別のグループについてのサブフィールドを示す。一方、従来技術では、擬似的なフレーム繰返しは、２重エッジを生成し、マルチスキャン概念は動きを尊重する。図に示された例では、特別のコードは、第２サブフレームから抽出され、そして、それが分かるように、この例では、これは動きを劣化しない。
【００４８】
ＰＤＰ内で本発明を実行するために、サブフィールド符号化処理のフローチャートが、図６に示されている。図６の例では、５０Ｈｚラスタで表示される最大定レベルは、ｍ＝６である。特別なコードが２つの１００Ｈｚフレームから計算されるときにのみにフレームメモリは必要なので、図６のフレームメモリは、オプションである。
【００４９】
入力ビデオレベルＶ２ｎは２１０に等しく、且つ、次の１００Ｈｚフレームの対応する画素の入力ビデオレベルは、１４２に等しい。最大値２５８へ再スケーリングすることを伴なうガンマ変換後に、２５８＊（２１０／２５５）２＝１７５及び、２５８＊（１４２／２５５）２＝８０を得る。最大値２５８は、サブフィールド構成の全サブフィールド重みをわたる和である。値２５８は、入力値から最大低レベルｍ＝６を直接減算することを許すので、再スケーリングのために選択される。これは、ガンマ変換後の抽出ステップで実行される。特別なコードについての最大値は６に等しく、且つ、２つのビデオ値は６より大きいので、特別のコードは６に等しい。そして、両入力値から値６を減算し、１７５−６＝１６９と８０−６＝７４を導く。図６の例では、これらのビデオ値は、値１２６（サブフレームのサブフィールド重みの和）に再スケーリングされねばならず、１２６＊（１６９／２５２）＝８４．５及び、１２６＊（７４／２５２）＝３７を与える。
【００５０】
サブグループに対するコード（３／６／１２／２１／３６／４８）は、３の倍数の全てのビデオレベルを符号化することを許し、他のレベルはディザリングにより得られる。従って、最後にレベル８４が符号化される。
【００５１】
特別なコードを計算するために、方法Ｄを使用すると決定した場合には
−  入力ビデオ値のうちの１つが最大低レベル６よりも小さい場合には、抽出された特別なコードは低入力ビデオレベルと等しい。次の再スケーリングステップでは、特別なコードのビデオ値は、高入力ビデオ値からのみ減算される。低入力ビデオ値は、変更されずに残り、そして、特別なフレームのサブフィールドで単独で表示される。
【００５２】
−  両方の入力ビデオレベルが
【外１】
0004951195.tif 000006
の場合には、特別なコードは最低値を決定することにより抽出される。前述のように、より高い値が再スケーリングとディザリングの対象である。
【００５３】
図７は、本発明の可能な回路の実装を示す。ＲＧＢ入力ビデオデータは、ガンマ関数変換ユニット２０へ送られ、これは、ＬＵＴ又は、数学関数を実行するソフトウェアプログラムである。このブロックの出力は、特別のコードを抽出し、再スケーリングしそして、サブフレームの新たな値を出力する、マルチスキャン符号化ブロック２１へ送られる。マルチスキャン符号化ブロック２１の動作は、プラズマ制御ブロック２６により発生されるＭＳＣ信号で活性化又は不活性化されることが可能である。例えば、入力ビデオ信号が標準６０Ｈｚビデオ源からである場合には、マルチスキャン符号化ブロック２１は不活性化され、入力ビデオ信号が１００Ｈｚビデオ源（例えば、ＰＣ）からである場合には、マルチスキャン符号化ブロック２１は活性化される。
【００５４】
このマルチスキャン符号化ブロック２１は、特別のコードが２つのサブフレームから抽出されるときには、オプションのフレームメモリ２２を使用できるが、しかし、これは、１つの単一のサブフレームから特別なコードを抽出することにより、避けられる。
【００５５】
マルチスキャン符号化ブロック２１の再スケーリングされたビデオ値出力へ、ディザリングユニット２３内でディザリング値が加えられ、そして、これは、プラズマ制御ブロック２６からＤＩＴＨ信号を介して設定されることが可能である。
【００５６】
同じブロックが、サブフィールド符号化ブロック２４を、マルチスキャンモードが活性化されるか又はされないことを、考慮するか又はしないかを、設定する。サブフィールド符号化ブロック２４からのサブフィールドコードワードは、更に、ＰＤＰのライン毎の駆動のためにブロック２５内で、シリアル／パラレル変換を含む良く知られた方法で、処理される。
【００５７】
本発明は、光放射のデューティーサイクル変調（パルス幅変調）の原理に基づく全てのディスプレイに適用可能である。特に、ＤＭＤ（ディジタルマイクロミラーデバイス）に適用可能である。本発明は、５０Ｈｚに基づくビデオ標準を表示するときに、ＰＤＰから大きな領域のフリッカ欠陥を除去し、そして、特にマルチメディアアプリケーションの分野で、フレームドロップ無しに、ＰＤＰに高周波数（例えば、１２０Ｈｚ）で表示することを可能とする。
【００５８】
本発明の範囲に入ると考えられる幾つかの修正が可能である。例えば、開示された特別なコードを決定するアルゴリズムは、２つの連続するフレームからの画素のペア毎の評価に基づいている。このアルゴリズムは、２つより多い対応する画素が、２つの連続するフレームについての評価処理に関係するように、修正できる。
【００５９】
【発明の効果】
上述のように、本発明により、入力ソースの動きの品質を保存しながら、高周波数ビデオシーケンスを、マトリクスディスプレイ上に表示することを可能とする、技術を提供できる。
【図面の簡単な説明】
【図１】人間の目の時間応答特性を示す図である。
【図２】マトリクス技術のプラズマディスプレイパネルのセル構造を示す図である。
【図３】１フレーム期間中の従来のＡＤＳアドレス機構を示す図である。
【図４】本発明の一実施例に従った、サブフィールド符号化についてのサブフィールド構成の例を示す図である。
【図５】マルチスキャンの概念を示す原理図である。
【図６】本発明に従って、マルチスキャンの概念実行するフローチャートを示す図である。
【図７】マルチスキャンの概念のハードウェア実行のブロック図を示す図である。
【符号の説明】
１０  フェースプレート
１１  ライン電極
１２  バックプレート
１３  誘電体層
１４  コラム電極
１５  発光物質
１７  ＵＶ線
２１  マルチスキャン符号化ブロック
２２  フレームメモリ
２３  ディザリングユニット
２４  サブフィールド符号化ブロック
２６  プラズマ制御ブロック
【図１】
0004951195.tif 000007
【図２】
0004951195.tif 000008
【図３】
0004951195.tif 000009
【図４】
0004951195.tif 000010
【図５】
0004951195.tif 000011
【図６】
0004951195.tif 000012
【図７】
0004951195.tif 000013